(57)【要約】【課題】  半導体ＮＣＵを採用した通信装置において、省電力時の待機電力を効果的に削減する。【解決手段】  半導体ＮＣＵと外付けＮＣＵを受信モード毎に切換えて制御することにより、省電力時にはモデム及び半導体ＮＣＵへの給電を抑える。【選択図】  図１
2009225276.tif 000002
【特許請求の範囲】
【請求項１】
１つの通信回線に対応する回線制御回路を２系統持ち、前記通信回線と接続される前記２系統の回線制御回路を切換える回線制御回路切換え手段を持つ通信装置において、
特定回線サービスを利用する待機処理時には前記回線制御回路切換え手段により一方の回線制御回路を接続し信号検出処理の待機処理を行う特定回線サービス待機時回線制御手段を備え、前記特定回線サービスを利用しない待機処理時には他方の回線制御回路を接続し信号検知処理の待機処理を行う通常待機時回線制御手段を備えることを特徴とする通信装置。
【請求項２】
請求項１に記載の通信装置において、前記回線制御回路の１つはモデムと通信回線間に位置する半導体ＮＣＵであり、前記回線制御回路の他方は呼出信号を検出する着信検出回路を含む外付けＮＣＵであることを特徴とする通信装置。
【請求項３】
請求項１に記載の通信装置において、特定回線サービスはモデムダイヤルインサービスまたはナンバーディスプレイサービスであることを特徴とする通信装置。
【請求項４】
請求項１に記載の通信装置において、通常待機時回線制御手段による通常待機時に、情報受信端末起動信号（ＣＡＲ）を検出した場合には、特定回線サービス待機時回線制御手段に切換えることを特徴とする通信装置。
【請求項５】
請求項１に記載の通信装置において、呼出信号検出後にＶ．２３のモデム信号を検出した場合には、特定回線サービス待機時回線制御手段に切換えることを特徴とする通信装置。
【発明の詳細な説明】
【技術分野】
【０００１】
本発明は、通信回線と回線制御装置を通して通信を行う通信装置に関するものである。特に、半導体ＮＣＵと従来の外付けＮＣＵの２系統の回線制御回路を持つ通信装置に関するものである。
【背景技術】
【０００２】
一般公衆回線（ＰＳＴＮ）に接続されるファクシミリなどの通信装置は、回線を制御するために回線制御回路（ＮＣＵ：Network Control Unit）を備えている。従来、この回線制御回路（ＮＣＵ）はトランス、リレー、電流センサ等の複数部品で回路を構成されていた。
【０００３】
半導体プロセス技術の進歩に伴って、今まで複数部品で回路構成をしていたファクシミリなどの通信装置の回線制御回路（ＮＣＵ）にも半導体が採用されるようになり、ＮＣＵ自体が１チップで構成される半導体ＮＣＵの採用が通信装置において増えてきている。
【０００４】
半導体ＮＣＵと従来ＮＣＵの切換えの従来例としては、特開2005-260491号公報があるが、これは、接続されているＮＣＵがトランスＤＡＡかシリコンＤＡＡかを判断して接続されたＮＣＵの種類に応じた制御を行うものである。
【０００５】
これに対し本発明は、従来ＮＣＵの一部と半導体ＮＣＵの両方を持つ回路構成を採用していて先行技術とは回路構成が異なっている。更にはモデムダイヤルイン／ナンバーディスプレイ待機時と通常待機時とで使用する回線制御回路を切換えることを特徴とし、通常待機時のモデムダイヤルイン／ナンバーディスプレイに関する信号を検知した場合には待機モード（使用する回線制御回路）の切換えを提案している。
【特許文献１】特開2005-260491号公報
【発明の開示】
【発明が解決しようとする課題】
【０００６】
最近のファクシミリなどの通信装置やコピー／プリンタ／ファクシミリ機能を有する複合機（ＭＦＰ：Multi Function Peripheral）においては、以下に示すような課題がある。
【０００７】
（１）オフィス内の省スペース化に伴う通信装置の小型化や、通信装置の集約を図りたいというユーザの要望に伴う通信装置の多回線化が必要とされている。
【０００８】
（２）省エネルギーという観点から、待機電力を極力抑えることが必要とされている。
【０００９】
しかしながら、従来ＮＣＵだけの構成では、装置の小型化・多回線化に制限があり、上記課題（１）が満足できない。また、通信装置には通信回線から入来する着信信号の監視という処理が必須となる為に半導体ＮＣＵとその周辺回路への電力供給が必要となり、半導体ＮＣＵだけの構成では装置の小型化・多回線化には効果があるが待機電力の低減という課題（２）を満足できない。
【課題を解決するための手段】
【００１０】
上述した課題・問題点を解決するために、本発明は、
（１）１つの通信回線に対応する回線制御回路を２系統持ち、前記通信回線と接続される前記２系統の回線制御回路を切換える回線制御回路切換え手段を持つ通信装置において、
特定回線サービスを利用する待機処理時には前記回線制御回路切換え手段により一方の回線制御回路を接続し信号検出処理等の待機処理を行う特定回線サービス待機時回線制御手段を備え、前記特定回線サービスを利用しない待機処理時には他方の回線制御回路を接続し信号検知処理等の待機処理を行う通常待機時回線制御手段を備えることを特徴とする。
【００１１】
（２）前記（１）の通信装置において、前記回線制御回路の１つはモデムと通信回線間に位置する半導体ＮＣＵであり、前記回線制御回路の他方は呼出信号等を検出する着信検出回路を含む外付けＮＣＵであることを特徴とする。
【００１２】
（３）前記（１）の通信装置において、特定回線サービスはモデムダイヤルインサービスまたはナンバーディスプレイサービスであることを特徴とする。
【００１３】
（４）前記（１）の通信装置において、通常待機時回線制御手段による通常待機時に、情報受信端末起動信号（ＣＡＲ）を検出した場合には、特定回線サービス待機時回線制御手段に切換えることを特徴とする。
【００１４】
（５）前記（１）の通信装置において、呼出信号検出後にＶ．２３のモデム信号を検出した場合には、特定回線サービス待機時回線制御手段に切換えることを特徴とする。
【発明の効果】
【００１５】
本発明によって、半導体ＮＣＵを採用した通信装置において、半導体ＮＣＵと外付けＮＣＵを受信モード毎に切換えて制御することにより、省電力時にはモデム及び半導体ＮＣＵへの給電を抑えることができ待機電力を効果的に削減できる。
【発明を実施するための最良の形態】
【００１６】
次に、本発明の詳細を実施例の記述に従って説明する。
【実施例１】
【００１７】
以下、図１,図２,図３，図４，図５に示す実施例に基づき、本発明を詳細に説明する。
【００１８】
図１は、本発明の一実施例による通信装置の構成を示すブロック図である。
【００１９】
図１において、
１０１：ＣＰＵは、システム制御部であり、装置全体を制御する。
【００２０】
１０２：ＲＯＭは、ＣＰＵの制御プログラムを格納するものである。
【００２１】
１０３：ＲＡＭは、ＳＲＡＭ等で構成され、画像データを蓄積する為のものである。
【００２２】
１０４：画像メモリは、ＤＲＡＭ等で構成され、画像データを蓄積する為のものである。
【００２３】
１０５：解像度変換処理部は、ラスタデータのミリ−インチ解像度変換等の解像度変換制御を行うものである。
【００２４】
１０６：読取・記録用符号化復号化処理部（読取・記録用コーデック）は、通信装置で扱う画像データの符号化復号化処理を行う。
【００２５】
１０７：時計部は、動作間隔等を計測し、ＩＣ等で構成される。
【００２６】
１０８、１０９：モデムは、回線からの変調された信号を復調したり、逆に装置からの信号を変調し回線に送出するものである。
【００２７】
１１０：回線制御部１は、半導体ＮＣＵと外付け回路等で構成される制御部である。ハンドセット及び外付け電話機が接続され、夫々の端子でオフフック／オンフック検知をするために接続端子毎にフック検知回路を有する。
【００２８】
１１１：回線制御部２は、半導体ＮＣＵと外付け回路等で構成される制御部である。回線制御部２には電話機が接続されないため、電話機接続端子やフック検知回路は省略される。
【００２９】
１１２：ハンドセットは、回線制御部１（ＮＣＵ）を通して電話回線に接続されるダイヤラを持たない電話機である。
【００３０】
１１３：外付け電話機は、回線制御部１（ＮＣＵ）を通して電話回線に接続される留守番電話機等の電話機である。
【００３１】
１１４，１１５：モデムダイヤルイン及びナンバーディスプレイ契約した電話回線である。
【００３２】
１１６：画像処理部は、スキャナによって読み込まれた画像データに補正処理を施して高精細な画像データを出力するものである。
【００３３】
１１７、１１８：シートスキャナ、ブックスキャナは、ＣＳイメージセンサ、原稿搬送機構などで構成され、原稿を光学的に読み取って電気的な画像データに変換するものである。両面原稿の読み取りを行う。
【００３４】
１１９：操作部は、キーボード、表示部等で構成され、オペレータが各種入力操作を行うためのものである。ハンドセットがオフフック時に即時ダイヤル操作可能を示し。また、外付け電話機がオフフック時には、通信中であることの表示及び通信予約受け付け可能なことを表示する。
【００３５】
１２０：ラインバッファは。画像データの転送制御を行う場合に使用するするラインバッファである。
【００３６】
１２１：プリントバッファは、印字用文字コードを格納する為の１ページ分のバッファメモリである。
【００３７】
１２２：プリンタは、受信画像やファイルデータを普通紙に記録するＬＢＰ等のプリンタであり、両面記録を行うことができる。
【００３８】
図２は、本発明の実施例における、待機時の回線制御回路を示すブロック図である。
【００３９】
図２中のＡの矢印線は、ナンバーディスプレイ／モデムダイヤルイン待機時に接続される回線制御回路の状態を示している。実線は電圧がかかっている状態を示し、破線は回線からの信号が検出可能な状態を示している。ナンバーディスプレイ／モデムダイヤルイン待機時には、ＣＭＬリレーを通して半導体ＮＣＵが接続される。回線からの情報受信端末起動信号（ＣＡＲ）や呼出信号（ＩＲ）を半導体ＮＣＵ内部のＣＩ検知機能を使用して検知処理を行う。また、半導体ＮＣＵを通してモデムに入来してくるファクシミリ通信サービス呼出信号（１３００Ｈｚ）をモデムが持つトーン検出器を使用して検知処理を行う。ファクシミリ通信時には半導体ＮＣＵ内部のリレーを接続して電話回線からモデムまで直流ループを形成し通話状態となる。
【００４０】
図２中のＢの矢印線は、ナンバーディスプレイ／モデムダイヤルイン待機時以外の待機状態と電源オフ状態と省電力待機状態で接続される回線制御回路の状態を示している。ＣＭＬリレーを通してＦＣ検知及びＣＩ検知の外付け回路に接続される。回線から入来する情報受信端末起動信号（ＣＡＲ）や呼出信号（ＩＲ）をＣＩ検知回路を使用して検知処理を行い、ファクシミリ通信サービス呼出信号（１３００Ｈｚ）をＦＣ検知回路を使用して検知処理を行う。
【００４１】
図３は、本発明の実施例における、通話時の回線制御回路の状態を示すブロック図である。
【００４２】
外付け電話機がオフフック状態となり、Ｈリレーを通して電話回線と直流ループを形成している状態（通話状態）である。ＣＭＬリレーは半導体ＮＣＵ側に接続され直流ループ上の信号を半導体ＮＣＵと介してモデムで検出できる状態になっている。着信後に外付け電話機がオフフックし相手送信機側からＣＮＧ信号を検知した場合や、外付け電話機が送出するトーンダイヤル（ＤＴＭＦ信号）を検知できる接続状態となっている。
【００４３】
図４は、本発明の実施例における、各受信モードの待機処理を示すフローチャートである。
【００４４】
通信装置は電源ＯＮ時、スリープからの待機復帰時、通信等終了後に待機復帰する（Ｓ１）。待機復帰時に通信装置に設定されている受信モードを判断し（Ｓ２）、モデムダイヤルイン／ナンバーディスプレイ待機モードならば、ＣＭＬリレーをオン（Ｓ３）して電話回線と半導体ＮＣＵを接続する。また、電話回線とモデムを接続する半導体ＮＣＵ内のリレー（ＲＡ）はオフ（Ｓ４）にすることにより回線を捕捉しない状態を維持できる。これらの処理により通信装置は、モデムダイヤルイン／ナンバーディスプレイ待機時において半導体ＮＣＵを利用しての極性反転検知及び情報受信端末起動信号（ＣＡＲ）及び呼出信号（ＩＲ）が検知可能となる。また、ファクシミリ通信サービス呼出信号（１３００Ｈｚ）を半導体ＮＣＵを通してモデムのトーン検出器で検知可能となる。一方、Ｈリレーをオン（Ｓ５）することにより、ハンドセット及び外付け電話機を電話回線から切り離すことによって情報受信端末起動信号（ＣＡＲ）が着信した場合でも電話機を鳴動させないことが可能となる。次に、前記モデムダイヤルイン／ナンバーディスプレイ待機時のファクシミリ通信サービス呼出信号（１３００Ｈｚ）を検出するためのモデム内のトーン検出器のフィルター設定及び半導体ＮＣＵ内のリレー（ＲＡ）がオフの場合に前記トーン検出器が適正動作するための感度調整を行い（Ｓ６）、待機状態（Ｓ７）となる。
【００４５】
受信モードが手動及び留守版電話接続モードと判断された場合には（Ｓ２）、ＣＭＬリレーをオフ（Ｓ８）し半導体ＮＣＵ内のリレー（ＲＡ）をオフ（Ｓ９）して電話回線と外付け回路であるＦＣ検知回路とＣＩ検知回路を接続する。これらの処理により、手動及び留守番電話接続モード時の呼出信号の着信をＣＩ検知回路で検出可能となり、ファクシミリ通信サービス呼出信号（１３００Ｈｚ）をＦＣ検知回路で検知可能となる。手動／留守番電話接続モード時には、ハンドセットや留守番電話機などの電話機は呼出信号（ＩＲ）で鳴動する必要があり、Ｈリレーはオフ（Ｓ１０）にされて電話回線と電話機が接続されて待機状態（Ｓ７）となる。
【００４６】
受信モードが自動受信と判断された場合には（Ｓ２）、ＣＭＬリレーをオフ（Ｓ１１）し半導体ＮＣＵ内のリレー（ＲＡ）をオフ（Ｓ１２）して電話回線と外付け回路であるＦＣ検知回路とＣＩ検知回路を接続する。これらの処理により、自動受信モード時の呼出信号の着信をＣＩ検知回路で検出可能となり、ファクシミリ通信サービス呼出信号（１３００Ｈｚ）をＦＣ検知回路で検知可能となる。自動受信モード時には、着信時の電話機の鳴動を禁止する設定がどうかを判断し（Ｓ１３）、着信時の電話機鳴動を禁止したい場合にはＨリレーをオン（Ｓ１４）にして電話機と回線を切り離す。着信時に電話機を鳴動させたい場合には、Ｈリレーをオフ（Ｓ１５）し電話機と回線を接続した状態にする。
【００４７】
図５は、本発明の実施例における、各受信モードからの通信開始時の処理を示すフローチャートである。
【００４８】
通信開始時（Ｓ２１）に、動作していた受信モードがモデムダイヤルイン／ナンバーディスプレイ待機モードならば（Ｓ２２）、モデムダイヤルイン／ナンバーディスプレイ時の着信シーケンスを行う。着信前の極性反転を検出（Ｓ２３）し、交換機から送出される情報端末起動信号（ＣＡＲ）を検知（Ｓ２４）し、半導体ＮＣＵ内のリレー（ＲＡ）をオン（Ｓ２５）し、モデムダイヤルインの場合には着信電話番号をナンバーディスプレイの場合には発信者情報をＶ．２３モデム信号として受信する（Ｓ２６）。Ｖ．２３モデム信号を受信後に受信完了信号として直流ループ断をモデム内のリレー（ＲＡ）をオフ（Ｓ２７）して応答する。受信完了信号後に来る呼出信号をモデム内の着信検知機能を使用して検知（Ｓ２８）し、二次応答信号として再び直流ループをＲＡをオン（Ｓ２９）することにより行う。直流ループ形成後に、半導体ＮＣＵを使用して受信感度調整及び電圧−電流（ＶＩ）調整を行い（Ｓ３０）、通信状態（Ｓ３１）に移行する。
【００４９】
通信開始（留守番電話機が留守応答等）時（Ｓ２１）に、動作していた受信モードが手動／留守番電話モードならば（Ｓ２２）、通信端末はファクシミリへの切換え処理を行うための信号監視を行わなければならない。ＣＮＧ信号及びトーンダイヤル信号を、ＣＭＬリレーと半導体ＮＣＵを通しモデムで検知するようにＣＭＬリレーをオン（Ｓ３２）にし、半導体ＮＣＵ内のリレー（ＲＡ）をオフ（Ｓ３３）にする。ＣＮＧ検知及びトーンダイヤル検知の為の検出設定及び感度調整（Ｓ３４）を行い、通信状態（Ｓ３１）に移行する。
【００５０】
通信開始時（Ｓ２１）に、動作していた受信モードが自動受信モードならば（Ｓ２２）、通信端末はファクシミリ通信を行う。回線から入来するファクシミリ信号をモデムで受信するためにＣＭＬリレーをオン（Ｓ３５）にし、半導体ＮＣＵ内のリレー（ＲＡ）をオン（Ｓ３６）にする。ファクシミリ通信の為の検出設定及び感度調整（Ｓ３７）を行い、通信状態（Ｓ３１）に移行する。
【図面の簡単な説明】
【００５１】
【図１】本発明の実施例に係わる通信装置の構成を示すブロック図である。
【図２】本発明の実施例における、待機時の回線制御回路を示すブロック図。
【図３】本発明の実施例における、リモート受信時の回線制御回路を示すブロック図。
【図４】本発明の実施例における、各受信モードの待機処理を示すフローチャート。
【図５】本発明の実施例における、各受信モードからの通信開始時の処理を示すフローチャート。
【符号の説明】
【００５２】
１０１  ＣＰＵ
１０２  ＲＯＭ
１０３  ＲＡＭ
１０４  蓄積メモリ（画像メモリ）
１０５  解像度変換処理部
１０６  読取記録用符号化複号化処理部
１０７  時計部
１０８，１０９  モデム
１１０  回線制御部１（ＮＣＵ）
１１１  回線制御部２（ＮＣＵ）
１１２  ハンドセット
１１３  外付け電話
１１４，１１５  回線
１１６  画像処理部
１１７  シートスキャナ
１１８  ブックスキャナ
１１９  操作部
１２０  ラインバッファ
１２１  プリントバッファ
１２２  プリンタ
【図１】
2009225276.tif 000003
【図２】
2009225276.tif 000004
【図３】
2009225276.tif 000005
【図４】
2009225276.tif 000006
【図５】
2009225276.tif 000007